(57)【要約】【課題】振動機能を有する電気器具について、電動工具用バッテリパックを電源として取り付けることができるようにして、そのコードレス化を図り、その使い勝手を高めることを目的とする。【解決手段】ハンディマッサージャー１０は、振動を発生する振動源１９と、振動源１９によって振動される施療部材１７と、振動源１９に電力を供給する電源としてのバッテリを取り付けるためのバッテリ取り付け部１３と、を備える。電源として、スライド取り付け形式のボックス型のバッテリパック１を用いる。バッテリパック１は、取り外して充電可能であるとともに、ねじ締め機等の電動工具の電源としても流用することができる。ハンディマッサージャー１０等の健康器具の他、刃物砥ぎ機等の調理器具等の振動機能を有する電気器具に適用することができる。【選択図】図１
2018064659.tif 000002
【特許請求の範囲】
【請求項１】
振動機能を有する電気器具であって、
振動を発生する振動源と、
前記振動源によって振動される振動部材と、
前記振動源に電力を供給する電源としてのバッテリを取り付けるためのバッテリ取り付け部と、
を備えている、電気器具。
【請求項２】
請求項１に記載の電気器具であって、
前記バッテリ取り付け部に、着脱可能に取り付けられる充電可能な電動工具用のバッテリパックを備えた電気器具。
【請求項３】
請求項２に記載の電気器具であって、
前記バッテリパックは、複数本のバッテリセルをバッテリケース内に収容してなるリチウムイオンバッテリパックである、電気器具。
【請求項４】
請求項３に記載の電気器具であって、
リチウムイオンバッテリパックは、出力電圧が１０．８Ｖである、電気器具。
【請求項５】
請求項２〜４のいずれか１つに記載の電気器具であって、
前記バッテリパックは、前記バッテリ取り付け部にスライドさせて取り付け可能なボックス型のバッテリパックである、電気器具。
【請求項６】
請求項５に記載の電気器具であって、
前記バッテリ取り付け部に、前記バッテリパックをスライドさせて係合するための一対の案内レール部を備えている、電気器具。
【請求項７】
請求項２〜４のいずれか１つに記載の電気器具であって、
前記バッテリパックは、前記バッテリ取り付け部に差し込んで取り付け可能なスティック型のバッテリパックである、電気器具。
【請求項８】
請求項７に記載の電気器具であって、
前記バッテリ取り付け部は、前記バッテリパックを差し込むための取り付け凹部を備え、
前記取り付け凹部の底部に、前記バッテリパックを電源回路に電気的に接続するための電源端子を備えている、電気器具。
【請求項９】
請求項１〜８のいずれか１つに記載の電気器具であって、
前記バッテリ取り付け部は、前記振動源を備える電気器具本体とは別体で形成されており、
前記電気器具本体に電源コードを介して前記バッテリ取り付け部を接続してなる、電気器具。
【請求項１０】
請求項１〜９のいずれか１つに記載の電気器具であって、
前記振動部材が施療部材である、電気器具。
【請求項１１】
請求項１〜９のいずれか１つに記載の電気器具であって、
前記振動部材が砥石部材である、電気器具。
【請求項１２】
請求項１〜１１のいずれか１つに記載の電気器具であって、
前記振動源に対する電力供給を制御するためのコントローラを備え、
前記バッテリ取り付け部に、前記コントローラと前記バッテリとの間で情報を送受信するための通信端子を少なくとも１つ備えた、電気器具。
【請求項１３】
請求項１２記載の電気器具であって、
前記バッテリの状態に関する情報に基づいて前記電力供給を制御する構成とした、電気器具。
【請求項１４】
請求項１３記載の電気器具であって、
前記バッテリの温度情報に基づいて前記電力供給を制御する構成とした、電気器具。
【請求項１５】
請求項１３記載の電気器具であって、
前記バッテリの放電許可または禁止情報に基づいて前記電力供給を制御する構成とした電気器具。
【請求項１６】
請求項１３に記載の電気器具であって、
前記電気器具の状態に関する情報に基づいて電力供給を制御する構成とした電気器具。
【請求項１７】
請求項１〜１６のいずれか１つに記載の電気器具であって、
前記バッテリは、残容量表示部を備えている、電気器具。
【請求項１８】
請求項１〜１７のいずれか１つに記載した電気器具であって、
前記バッテリまたは前記電気器具の状態を報知する報知部を備える電気器具。
【請求項１９】
請求項１８に記載の電気器具であって、
前記報知部は電気器具側に設けられた電気器具。
【請求項２０】
家庭用電気器具において、電力を供給する電源としてのバッテリを着脱可能に取り付けるためのバッテリ取り付け部を備えた電気器具。
【発明の詳細な説明】
【技術分野】
【０００１】
本発明は、振動機能を有する電気器具に関する。
【背景技術】
【０００２】
振動機能を有する電気器具としては、ハンディマッサージャー、シートマッサージャー、マッサージクッション、刃物研ぎ機等が存在する。これらの電気器具は、多くの場合、懐中電灯やハンディラジオ等の電力消費が小さい電気器具とは異なって、乾電池等のバッテリ（直流電源）では電力不足となるため、商用１００Ｖの交流電源を電源とする交流電源式のものが主流となっている。特許文献１には、交流電源式のハンディマッサージャーに関する技術が開示されている。特許文献２には、交流電源式のシートマッサージャーに関する技術が開示されている。
【０００３】
一方、ねじ締め機や電気ドリル等の主として手持ち式の電動工具では、バッテリを電源とする充電式のものが普及している。特に、近年では、複数本のバッテリセルをバッテリケース内に収容してなるリチウムイオンバッテリパックが広く用いられるようになっている。電動工具用のリチウムイオンバッテリパックは、比較的大きな電力を供給可能であることから、交流電源を不要とし、また、コードレス化が可能である。また、電動工具用のバッテリパックは、各種の電動工具に共通して使用することができるため、汎用性が高い。このため、電動工具用のバッテリパックを、各種の電気器具の電源として利用できれば、電気器具の使い勝手を格段に高めることができる。なお、本明細書でいう「バッテリ」とは、乾電池に比べて、高電圧の電池のことをいう。
【先行技術文献】
【特許文献】
【０００４】
【特許文献１】特開平５−３９０３号公報
【特許文献２】特開平９−１４０７５７号公報
【発明の概要】
【発明が解決しようとする課題】
【０００５】
特許文献１、２のものでは、使用時に電源コードを交流電源供給用の電源コンセントに接続する必要がある。このため、電源コンセント等が用意されていない屋外等では使用することができず、この点で使い勝手が悪い。本発明は、振動機能を有する電気器具について、バッテリを電源とすることにより、交流電源を必要とすることなく利用できるようにすることで使い勝手を高めることを目的とする。
【課題を解決するための手段】
【０００６】
上記の課題は、以下の各発明により解決される。第１の発明は、振動機能を有する電気器具であって、振動を発生する振動源と、前記振動源によって振動される振動部材と、前記振動源に電力を供給する電源としてのバッテリを取り付けるためのバッテリ取り付け部と、を備えている、電気器具である。この構成によれば、バッテリ取り付け部にバッテリを取り付けて、そのバッテリから振動源に電力を供給することにより、振動源が振動を発生し、振動部材が振動する。振動部材の振動は、振動付与対象物に付与される。したがって、バッテリを電源とすることにより、交流電源を必要とすることなく、振動機能を有する電気器具を利用することができ、その電気器具の使い勝手を高めることができる。バッテリを電源とする振動機能を有する電気器具としては、例えば、ハンディマッサージャー、シートマッサージャー、背負い式マッサージャー、マッサージクッション、ネックマッサージャー、アイマスク、刃物研ぎ機等が対象となる。
【０００７】
第２の発明は、第１の発明において、前記バッテリ取り付け部に、着脱可能に取り付けられる充電可能な電動工具用のバッテリパックを備えた電気器具である。この構成によれば、広く流通する充電式電動工具用のバッテリを利用できるようにすることで、当該電気器具及び電動工具の使い勝手及び付加価値を高めることができる。また、充電により繰り返し利用できるバッテリを用いる点で、ランニングコストの低減を図ることができるとともに、環境に対する負荷を低減できる。
【０００８】
第３の発明は、第２の発明において、前記バッテリパックは、複数本のバッテリセルをバッテリケース内に収容してなるリチウムイオンバッテリパックである、電気器具である。この構成によれば、リチウムイオンバッテリパックにより振動源に対して十分な電力を供給することができる。また、リチウムイオンバッテリパックを電源とすることにより、継ぎ足し充電等が可能となり、この点でも当該電気器具の使い勝手を高めることができる。
【０００９】
第４の発明は、第３の発明において、リチウムイオンバッテリパックは、出力電圧が１０．８Ｖである、電気器具である。この構成によれば、例えば、ねじ締め機等の充電式電動工具の電源として用いられる出力電圧１０．８Ｖのリチウムイオンバッテリパックを各種の電気器具の電源として利用することにより、当該バッテリを有効活用してその汎用性を高めることができるとともに、各種電気器具の使い勝手を高めることができる。
【００１０】
第５の発明は、第２〜４のいずれか１つの発明において、前記バッテリパックは、前記バッテリ取り付け部にスライドさせて取り付け可能なボックス型のバッテリパックである、電気器具である。この構成によれば、ボックス型のバッテリパックをバッテリ取り付け部にスライドさせて取り付けることにより、電気器具の電源として利用することができる。
【００１１】
第６の発明は、第５の発明において、前記バッテリ取り付け部に、前記バッテリパックをスライドさせて係合するための一対の案内レール部を備えている、電気器具である。この構成によれば、バッテリ取り付け部に対して、バッテリパックの取り付け、取り外しの便宜を図りつつ、当該バッテリパックの強固な取り付け状態を実現できる。
【００１２】
第７の発明は、第２〜４のいずれか１つの発明において、前記バッテリパックは、前記バッテリ取り付け部に差し込んで取り付け可能なスティック型のバッテリパックである、電気器具である。この構成によれば、スティック型のバッテリパックをバッテリ取り付け部に差し込んで取り付けることにより、電気器具の電源として利用することができる。
【００１３】
第８の発明は、第７の発明において、前記バッテリ取り付け部は、前記バッテリパックを差し込むための取り付け凹部を備え、前記取り付け凹部の底部に、前記バッテリパックを電源回路に電気的に接続するための電源端子を備えている、電気器具である。この構成によれば、バッテリパックを取り付け凹部に差し込んで取り付けることができる。また、電源端子を取り付け凹部の底部に備えていることにより、バッテリパックの差し込み操作に伴って当該バッテリパックが電源回路に確実に接続されるようにするとともに、電源端子の保護を図って当該電気器具の耐久性を高めることができる。
【００１４】
第９の発明は、第１〜８のいずれか１つの発明において、前記バッテリ取り付け部は、前記振動源を備える電気器具本体とは別体で形成されており、前記電気器具本体に電源コードを介して前記バッテリ取り付け部を接続してなる、電気器具である。この構成によれば、電気器具本体が軽量化されることから、その操作性及び取り扱い性を高めることができる。
【００１５】
第１０の発明は、第１〜９のいずれか１つの発明において、前記振動部材が施療部材である、電気器具である。この構成によれば、マッサージャー等の健康器具として用いられる電気器具の使い勝手を高めることができる。
【００１６】
第１１の発明は、第１〜９のいずれか１つの発明において、前記振動部材が砥石部材である、電気器具である。この構成によれば、刃物研ぎ機等の調理器具として用いられる電気器具の使い勝手を高めることができる。
【００１７】
第１２の発明は、第１〜１１のいずれか１つの発明において、前記振動源に対する電力供給を制御するためのコントローラを備え、前記バッテリ取り付け部に、前記コントローラと前記バッテリとの間で情報を送受信するための通信端子を少なくとも１つ備えた、電気器具である。この構成によれば、通信端子を経てコントローラとバッテリとの間で情報が送受信されることにより、振動源に対する電力供給が制御される。
【００１８】
第１３の発明は、第１２の発明において、前記バッテリの状態に関する情報に基づいて前記電力供給を制御する構成とした、電気器具である。この構成によれば、バッテリの状態に関する情報に基づいて振動源に対する電力供給が制御されることにより、振動源及びバッテリの保護が図られる。
【００１９】
第１４の発明は、第１３の発明において、前記バッテリの温度情報に基づいて前記電力供給を制御する構成とした、電気器具である。この構成によれば、バッテリの温度情報に基づいて振動源に対する電力供給が制御されることにより、バッテリの保護が図られる。
【００２０】
第１５の発明は、第１３の発明において、前記バッテリの放電許可または禁止情報に基づいて前記電力供給を制御する構成とした電気器具である。この構成によれば、バッテリの放電禁止信号が送信されて、振動源に対する電力供給が停止されることにより、バッテリの保護が図られる。
【００２１】
第１６の発明は、第１３の発明において、前記電気器具の状態に関する情報に基づいて電力供給を制御する構成とした電気器具である。この構成によれば、電気器具の状態に基づいて電力供給が制御される。
【００２２】
第１７の発明は、第１〜１６のいずれか１つの発明において、前記バッテリは、残容量表示部を備えている、電気器具である。この構成によれば、バッテリ自身にその残容量を表示する残容量表示部を備えていることから、バッテリ取り付け部から取り外した状態のバッテリの残容量表示部により残容量を確認することができる。
【００２３】
第１８の発明は、第１〜１７のいずれか１つの発明において、前記バッテリまたは前記電気器具の状態を報知する報知部を備える電気器具である。この構成によれば、報知部によりバッテリまたは電気器具の状態が報知される。
【００２４】
第１９の発明は、第１８の発明において、前記報知部は電気器具側に設けられた電気器具である。この構成によれば、電気器具側に設けられた報知部により、バッテリまたは電気器具の状態が報知される。
【００２５】
第２０の発明は、家庭用電気器具において、電力を供給する電源としてのバッテリを着脱可能に取り付けるためのバッテリ取り付け部を備えた電気器具である。この構成によれば、バッテリ取り付け部に電力供給用のバッテリを取り付けて家庭用電気器具を利用することができる。
【図面の簡単な説明】
【００２６】
【図１】第１実施形態に係るハンディマッサージャーを示す斜視図である。
【図２】バッテリ取り付け部に対するバッテリパックの取り付け、取り外し状態を示す斜視図である。
【図３】バッテリパックを示す斜視図である。
【図４】バッテリパックを示す正面図である。
【図５】バッテリパックを示す下面図である。
【図６】充電式ねじ締め機を示す斜視図である。
【図７】第２実施形態に係るハンディマッサージャーを示す斜視図である。
【図８】バッテリパックを示す斜視図である。
【図９】第３実施形態に係るハンディマッサージャーを示す斜視図である。
【図１０】第４実施形態に係るシートマッサージャーを示す斜視図である。
【図１１】第５実施形態に係る背負い式マッサージャーを示す斜視図である。
【図１２】第６実施形態に係るマッサージクッションを示す斜視図である。
【図１３】第７実施形態に係るネックマッサージャーを示す斜視図である。
【図１４】第８実施形態に係るハンディマッサージャーを示す斜視図である。
【図１５】第９実施形態に係るアイマスクを示す斜視図である。
【図１６】第１０実施形態に係る刃物研ぎ機を示す斜視図である。
【図１７】第１１実施形態に係るスティック型のバッテリパック用電源アダプタを示す斜視図である。
【図１８】第１２実施形態に係るボックス型のバッテリパック用電源アダプタを示す斜視図である。
【図１９】電気器具とバッテリパックの制御ブロック図である。
【図２０】電気器具の制御フローチャートである。
【図２１】別形態の電気器具とバッテリパックの制御ブロック図である。
【図２２】別形態の電気器具の制御フローチャートである。
【図２３】別形態のバッテリパックの制御フローチャートを示している
【図２４】充電器とバッテリパックの制御ブロック図である。
【発明を実施するための形態】
【００２７】
［第１実施形態］本実施形態では、振動機能を有する電気器具としてのハンディマッサージャーを例示する。このハンディマッサージャーは、使用者（施術者）が手で持って被施術者にマッサージを行うものである。図１はハンディマッサージャーを示す斜視図である。図１中の方位は使用者から見た方向を示している。図１に示すように、ハンディマッサージャー１０は、マッサージャー本体１０ａとバッテリ取り付け部１３とを備えている。なお、ハンディマッサージャー１０は本明細書でいう「電気器具」、「健康器具」に相当する。
【００２８】
マッサージャー本体１０ａは、ハンドル１２を有するケーシング１１を備えている。ケーシング１１は、短尺柱状に形成されている。ハンドル１２は、ケーシング１１の上端部を取り巻く環状に形成されている。ハンドル１２は、ケーシング１１に複数（図１では３つ）の支持アーム１５によって支持されている。なお、マッサージャー本体１０ａは本明細書でいう「電気器具本体」に相当する。
【００２９】
ケーシング１１の下面側には、施療部材１７が振動可能に設けられている。ケーシング１１内には、振動を発生する振動源１９が収容されている。振動源１９には、施療部材１７が振動伝達可能に連結されている。振動源１９の発生する振動が施療部材１７に伝達されることで、施療部材１７が振動される。なお、施療部材１７は本明細書でいう「振動部材」に相当する。
【００３０】
バッテリ取り付け部１３は、ケーシング１１の側面部（例えば、後面部）に設けられている。バッテリ取り付け部１３には、振動源１９に電力を供給する電源としてのバッテリパック１が着脱可能に取り付けられている。バッテリパック１は、バッテリ取り付け部１３に取り付けると、ケーシング１１に内装した電源回路に電気的に接続される。このバッテリパック１は、電動ねじ締め機や電動ドリル等の充電式電動工具のバッテリとしても用いられる汎用性の高いスライド取り付け形式のボックス型のバッテリパック１で、様々な充電式電動工具との間で共用する（使い回す）ことができる。なお、バッテリパック１は本明細書でいう「バッテリ」に相当する。
【００３１】
図２はバッテリ取り付け部に対するバッテリパックの取り付け、取り外し状態を示す斜視図、図３はバッテリパックを示す斜視図、図４は同じく正面図、図５は同じく下面図である。説明の都合上、バッテリ取り付け部１３については、バッテリパック１に面する側を前側（正面側）として説明する。また、バッテリパック１については、バッテリ取り付け部側を前側（正面側）、バッテリ取り付け部１３に対する取り付け方向を下方、また、取り外し方向を上方として説明する（図３〜図５参照）。
【００３２】
図２に示すように、バッテリ取り付け部１３に対して、バッテリパック１を一方（下方）へスライドさせて取り付けることができ、逆に、そのバッテリパック１を他方（上方）へスライドさせて取り外すことができる。
【００３３】
図３〜図５に示すように、バッテリパック１は、６面を有するほぼ直方体形状（ボックス型状）のバッテリケース内に複数本のバッテリセルを内装すなわち収容したボックス型のものである。本実施形態では、バッテリパック１として、出力電圧１０．８Ｖのリチウムイオンバッテリパックが用いられている。このボックス型のバッテリパック１は、バッテリ取り付け部１３（図２参照）から取り外して、別途用意した充電器で充電することにより繰り返し使用することができる。また、リチウムイオンバッテリパックは、継ぎ足し充電等が可能である。また、複数個のバッテリパック１を予め用意しておくことにより、１つを充電中であっても別のバッテリパック１をバッテリ取り付け部１３に取り付けることにより、作業等の中断を招くことなく電気器具１０の連続使用が可能となる。
【００３４】
なお、以下説明する各実施形態では、出力電圧が１０．８Ｖのリチウムイオンバッテリパックを電源とする構成を例示するが、出力電圧が１８Ｖ、１４．４Ｖ等のリチウムイオンバッテリパックを用いる構成、あるいは、リチウムイオンバッテリパックに限らず、ニッケル水素バッテリパック、ニッカドバッテリパック等のバッテリを電源として用いる構成とすることもできる。
【００３５】
図４に示すように、バッテリパック１の正面（前面）側には、左右一対のレール受け部１ａが設けられている。左右レール受け部１ａの内側に、正負の電源端子受け部１ｂ，１ｃと、３つの通信端子受け部１ｄとが設けられている。正負の電源端子受け部１ｂ，１ｃの上側には、矩形に開口された冷却用の吸気口１ｇが設けられている。吸気口１ｇの上側には、１つのロック爪１ｅが設けられている。このロック爪１ｅは、バッテリケース内に装着したばねにより正面側へ突き出す方向（図４において紙面表方向）に付勢されている（図３参照）。
【００３６】
バッテリパック１の上面には、アンロックボタン１ｆが設けられている。このアンロックボタン１ｆは、ロック爪１ｅと一体に設けられている。このため、アンロックボタン１ｆを指先で背面（後面）側へ押し下げ操作すると、ロック爪１ｅをばねの付勢力に抗して引き込む方向（アンロック側）に移動させることができる。バッテリパック１の正面下部には、矩形に開口された３つの排気口１ｈが設けられている。例えば、充電時に吸気口１ｇを経てバッテリケース内に導入した外気が排気口１ｈから排気されることにより当該バッテリパック１の冷却がなされる。図５に示すように、バッテリパック１の下面には、電力の残容量をＬＥＤ表示するための残容量表示部１ｊが設けられている。残容量スイッチ１ｋを押し操作すると、残容量に応じた個数のＬＥＤが点灯する。
【００３７】
図２に示すように、バッテリ取り付け部１３は、左右一対のレール部１３ａを備えている。左右のレール部１３ａは、相互に平行に上下方向に延びている。左右のレール部１３ａ間に、正負の電源端子１３ｂ，１３ｃと、一つの通信端子１３ｄが設けられている。図３では見えていないが、バッテリ取り付け部１３の上部に、バッテリパック１側のロック爪１ｅが嵌り込む係合凹部が設けられている。
【００３８】
図２中、白抜き矢印で示すように、バッテリ取り付け部１３に対してバッテリパック１を上方から下方へ向けてスライドさせることにより、当該バッテリ取り付け部１３に対してバッテリパック１が取り付けられる。逆に、バッテリパック１の取り付け状態において、使用者が指先でアンロックボタン１ｆをアンロック側に押し下げ操作し、これにより、ロック爪１ｅを係合凹部から退出させる。この状態で、バッテリパック１を上方へスライドさせることにより、当該バッテリパック１をバッテリ取り付け部１３から取り外すことができる。
【００３９】
取り外したバッテリパック１は、その正面側をバッテリ取り付け部１３側に向けた状態で下方へ移動させてバッテリ取り付け部１３の左右のレール受け部１ａにレール部１３ａを進入させることにより、バッテリ取り付け部１３に対して取り付けることができる。バッテリ取り付け部１３の左右のレール受け部１ａにバッテリパック１のレール部１３ａが係合することによって、バッテリ取り付け部１３に対するバッテリパック１の強固な取り付け状態を実現できる。
【００４０】
バッテリパック１を下方へスライドさせてロック爪１ｅ（図３参照）がバッテリ取り付け部１３の係合凹部内に弾性的に嵌り込むことにより、当該バッテリパック１がバッテリ取り付け部１３に対して取り付けられた状態にロックされる。バッテリパック１がバッテリ取り付け部１３に対して取り付けられると、正負の電源端子受け部１ｂ，１ｃ（図３参照）に正負の電源端子１３ｂ，１３ｃが進入して、当該バッテリパック１がバッテリ取り付け部１３に対して電気的に接続された状態となる。
【００４１】
また、通信端子１３ｄが中央の通信端子受け部１ｄ（図３参照）に進入して、ハンディマッサージャー１０（詳しくは、マッサージャー本体１０ａのコントローラ）とバッテリパック１との間で過放電に伴う自動停止等の制御信号の送受信が可能な状態となる。コントローラは、電源回路や制御回路を内装しており、振動源１９に対する電力供給を制御する。なお、バッテリパック１の３つの通信端子受け部１ｄ（図４参照）のうち左右両側の通信端子受け部１ｄは、当該バッテリパック１を別途用意した充電器に取り付けて充電する場合に利用される。左右両側の通信端子受け部１ｄには、充電器側の通信端子が進入して電気的に接続される。左右両側の通信端子受け部１ｄに充電器側の通信端子が接続されることにより当該バッテリパック１と充電器との間で各種の制御信号が送受信される。
【００４２】
図６には、バッテリパック１を電源として取り付けた充電式の電動工具の一例としてのねじ締め機の斜視図が示されている。図６中の方位は使用者から見た方向を示している。図６に示すねじ締め機５は、インパクト式のねじ締め機で、本体部５ａとグリップ部５ｂと電源部５ｃを備えている。電源部５ｃがバッテリ取り付け部に相当する部位で、バッテリパック１はこの電源部５ｃの下面に沿って取り付けられる。電源部５ｃに対して、前側（白抜き矢印取り外し方向）にスライドさせることにより、バッテリパック１を取り外すことができる。逆に、電源部５ｃに対して、後ろ側（白抜き矢印取り付け方向）にスライドさせることにより、バッテリパック１を取り付けることができる。
【００４３】
このねじ締め機５は、電源部５ｃに取り付けたバッテリパック１からの電力により利用することができる。電源部５ｃから取り外したバッテリパック１を、そのまま電気器具としてのハンディマッサージャー１０（図１参照）のバッテリ取り付け部１３に取り付けることにより、当該バッテリパック１をハンディマッサージャー１０の電源として利用することができる。また、バッテリパック１は、他の電動工具（例えば、ドリル、マルノコ、グラインダー、カンナ等）の電源としても共用することができる。
【００４４】
図１に示すように、ハンディマッサージャー１０のバッテリ取り付け部１３に一つのバッテリパック１を取り付けることにより、ハンディマッサージャー１０の振動源１９に必要な電力が供給される。ハンディマッサージャー１０の右側の支持アーム１５の上面部には、電源をオン、オフする電源スイッチ２０と、振動の強、弱を切り替える強度切り替えスイッチ２１とが設けられている。また、左側の支持アーム１５の上面部には、バッテリパック１の残容量、振動の強弱状態等を表示する表示部２２が設けられている。
【００４５】
前記したハンディマッサージャー１０において、電源スイッチ２０をオン操作すると、振動源１９に電力が供給される。これにより、振動源１９が振動を発生し、施療部材１７に振動が伝達される。使用者（施術者）は、ハンディマッサージャー１０を手で持って、施療部材１７を被施術者の肩、腰等に宛がうことにより、その宛がった部位に施療部材１７の振動が付与され、マッサージを行うことができる。なお、被施術者は本明細書でいう「振動付与対象物」に相当する。また、強度切り替えスイッチ２１の操作によって振動源１９の振動の強度が切り替えられる。また、電源スイッチ２０をオフ操作すると、振動源１９への電力の供給が停止される。
【００４６】
以上のように構成した第１実施形態のハンディマッサージャー１０によれば、充電式電動工具に用いられるバッテリパック１を電源として利用することができるので、商用１００Ｖの交流電源がない屋外等においても使用することができ、この点でハンディマッサージャー１０の利便性いわゆる使い勝手を高めることができる。また、コードレスであるので、ハンディマッサージャー１０の持ち運び及び取り扱いが容易である。
【００４７】
また、他の電動工具の電源として共用できるバッテリパック１を電源として利用できることから、主として電源についてはランニングコスト及びメンテナンスコストの低減を図ることができる。これにより、電気器具及び電動工具の使い勝手及び付加価値を高めることができる。また、充電により繰り返し利用できるバッテリパック１を用いる点で、ランニングコストの低減を図ることができるとともに、環境に対する負荷を低減することができる。また、既に、この種のバッテリパック１を所有するユーザーにとって、ハンディマッサージャー１０のランニングコスト及びメンテナンスコストの低減を図ることができる。
【００４８】
また、ハンディマッサージャー１０の振動源１９に電力を供給するための電源には、内蔵式のバッテリパックを用いることもできる。この場合、バッテリパックの充電機能も合わせて内蔵することにより、例えば、ケーシング１１の側面等に充電用電源の接続口を設けることができる。この接続口を経て充電用の電力を内蔵バッテリに供給することにより、内蔵バッテリを充電する構成とすることができる。
【００４９】
さらに、必要に応じて、ハンディマッサージャー１０のケーシング１１にバッテリ取り付け部１３を複数設けて、それぞれに取り付けた複数個のバッテリパック１の合計電力を供給可能として、振動パワーを向上したり、使用時間を延長したりすることができる。また、ハンディマッサージャー１０を、商用１００Ｖ交流電源を電源として利用可能な構成（充交両用）としてもよい。また、バッテリパック１は、ケーシング１１の側面部に露出状態で取り付ける他、ケーシング１１の上面部に露出状態で取り付ける構成としてもよいし、ケーシング１１の側面部又は上面部に嵌め込むように取り付ける構成としてもよい。
【００５０】
以上、電源としてスライド取り付け形式（ボックス型）のバッテリパック１を例示したが、バッテリ取り付け部１３に差し込んで取り付けるスティック型式のバッテリパックを電源として用いる構成としてもよい（後出の第２実施形態参照）。
【００５１】
［第２実施形態］本実施形態は、第１実施形態（図１参照）のハンディマッサージャー１０のバッテリ取り付け部１３に変更を加えたものであるから、その変更部分について説明し、重複する説明は省略する。図７はハンディマッサージャーを示す斜視図、図８はバッテリパックを示す斜視図である。図７に示すように、本実施形態のハンディマッサージャー１０は、電源として、第１実施形態のスライド取り付け式のボックス型のバッテリパック１（図１参照）に代えて、差し込み取り付け形式のスティック型のバッテリパック２を取り付けることができる。
【００５２】
図８に、取り外した状態のバッテリパックが斜視図で示されている。説明の都合上、図８において、バッテリパック２の取り付け方向を下方、取り外し方向を上方として説明する。このバッテリパック２は、ねじ締め機等の電動工具の電源として用いられるスティック形のリチウムイオンバッテリで、断面三角形状の棒形の本体部２ａと、この本体部２ａの上端部にやや大径に形成された頭部２ｂとを備えている。本体部２ａに、３本のバッテリセルが内装されている。本体部２ａの下端面に、正負の端子孔２ｃ，２ｄが設けられている。なお、バッテリパック２は本明細書でいう「バッテリ」に相当する。
【００５３】
図７に示すように、ハンディマッサージャー１０のケーシング１１の上面には、バッテリパック２を差し込んで取り付けるための取り付け凹部２３ａを有するバッテリ取り付け部２３が設けられている。取り付け凹部２３ａは、バッテリパック２の本体部２ａを収容可能な断面形状及び深さの有底孔形状をなしている。バッテリ取り付け部２３の底部には、バッテリパック２の正負の端子孔２ｃ，２ｄ（図８参照）に対応する正負の電源端子（図７では見えていない）が設けられている。なお、ケーシング１１において、第１実施形態のバッテリ取り付け部１３（図１参照）は省略されている。
【００５４】
バッテリパック２の本体部２ａを、バッテリ取り付け部２３に差し込めば、正負の端子孔２ｃ，２ｄ（図８参照）に正負の電源端子が挿入されて、当該バッテリパック２がマッサージャー本体１０ａの電源回路に電気的に接続される。電源回路に接続されたバッテリパック２の電力が振動源１９に供給されて振動が発生し、施療部材１７に振動が伝達される。なお、電源端子を取り付け凹部２３ａの底部に備えていることにより、バッテリパック２の差し込み操作に伴って当該バッテリパック２がマッサージャー本体１０ａの電源回路に確実に接続されるようにするとともに、電源端子の保護を図ってハンディマッサージャー１０の耐久性を高めることができる。
【００５５】
図８に示すように、バッテリパック２の頭部２ｂの両側部（図８では一側部を示す）には、係合爪２ｅと、これを離脱側に操作するための押しボタン２ｆとが設けられている。この両係合爪２ｅに対応して、バッテリ取り付け部２３の取り付け凹部２３ａの口元内側には、左右一対の係合突部（図７では見えていない）が設けられている。この両係合突部に対して両係合爪２ｅは、それぞれバッテリパック２の取り外し方向にのみ係合し、取り付け方向については両係合爪２ｅが弾性力に抗して退避する。このため、バッテリパック２をバッテリ取り付け部２３に差し込むと、左右の係合爪２ｅがそれぞれバッテリ取り付け部２３側の係合突部に係合して当該バッテリパック２が取り付け位置にロックされる。この取り付け状態において、左右の押しボタン２ｆを指先で両側から挟むようにして押し操作すると、係合突部に対する係合爪２ｅの係合状態が解除されるため、当該バッテリパック２をバッテリ取り付け部２３から上方へ抜き出すようにして取り外すことができる。
【００５６】
［第３実施形態］本実施形態は、第１実施形態（図１参照）のハンディマッサージャー１０のバッテリ取り付け部１３に変更を加えたものであるから、その変更部分について説明し、重複する説明は省略する。図９はハンディマッサージャーを示す斜視図である。図９に示すように、本実施形態のハンディマッサージャー１０は、第１実施形態のバッテリ取り付け部１３（図１参照）を、ケーシング１１から分離された分離式のバッテリ取り付け部（符号、２５を付す）に変更したものである。なお、ハンディマッサージャー１０のうち、バッテリ取り付け部２５が分離された残りの部分をマッサージャー本体２７という。なお、マッサージャー本体２７は本明細書でいう「電気器具本体」に相当する。
【００５７】
バッテリ取り付け部２５は、マッサージャー本体２７と別体で形成されているものの、その基本的構成は第１実施形態のバッテリ取り付け部１３（図２参照）と同様であるから、その説明を省略する。すなわち、バッテリ取り付け部２５には、バッテリパック１が着脱可能に取り付けられる。マッサージャー本体２７には、電源コード２９を介してバッテリ取り付け部２５が接続されている。バッテリ取り付け部２５の電気回路とマッサージャー本体２７の電源回路とは、電源コード２９を介して電気的に接続されている。したがって、バッテリパック１は、バッテリ取り付け部２５に取り付けると、マッサージャー本体２７の電源回路に電気的に接続される。
【００５８】
本実施形態のハンディマッサージャー１０によると、マッサージャー本体２７が軽量化されることから、その操作性及び取り扱い性を高めることができる。また、本実施形態は、第２実施形態のハンディマッサージャー１０（図７参照）に適用してもよい。
【００５９】
［第４実施形態］本実施形態は、第１実施形態（図１参照）に変更を加えたものであるから、その変更部分について説明し、重複する説明は省略する。本実施形態では、振動機能を有する電気器具としてのシートマッサージャーを例示する。図１０はシートマッサージャーを示す斜視図である。図１０中の方位は使用者から見た方向を示している。
【００６０】
図１０に示すように、シートマッサージャー３２は、シート本体３３とバッテリ取り付け部３５とを備えている。シート本体３３は、座部３７と背凭れ部３８とを有している。背凭れ部３８の前面側には、施療部材４０が振動可能に設けられている。施療部材４０は、背凭れ部３８の表皮材の一部を含んで構成されている。背凭れ部３８内には、振動を発生する振動源４２が収容されている。振動源４２には、施療部材４０が振動伝達可能に連結されている。振動源４２の発生する振動が施療部材４０に伝達されることで、施療部材４０が振動される。なお、シートマッサージャー３２は本明細書でいう「電気器具」、「健康器具」に相当する。また、シート本体３３は本明細書でいう「電気器具本体」に相当する。また、施療部材４０は本明細書でいう「振動部材」に相当する。
【００６１】
バッテリ取り付け部３５は、背凭れ部３８の背面側の下部に設けられている。バッテリ取り付け部３５の構成は、第１実施形態のバッテリ取り付け部１３（図２参照）と同様であるから、その説明を省略する。すなわち、バッテリ取り付け部３５には、バッテリパック１が着脱可能に取り付けられる。なお、本実施形態では、バッテリ取り付け部３５に対するバッテリパック１の取り付け方向を下方、また、その取り外し方向を上方とする。
【００６２】
したがって、バッテリパック１は、バッテリ取り付け部３５に取り付けると、シート本体３３に内装した電源回路に電気的に接続される。また、背凭れ部３８には、コントロールボックス４４が設けられている。コントロールボックス４４は、電源をオン、オフする電源スイッチ４４ａ、振動の強、弱を切り替える強度切り替えスイッチ４４ｂ、バッテリパック１の残容量、振動の強弱状態等を表示する表示部４４ｃ等を備えている。
【００６３】
前記したシートマッサージャー３２において、使用者がシート本体３３に着座して背凭れ部３８に寄り掛かかると、背中に施療部材４０が宛がわれる。この状態で、電源スイッチ２０をオン操作すると、振動源４２に電力が供給されるため、振動源４２が振動を発生し、施療部材４０に振動が伝達される。これにより、使用者の背中に施療部材４０の振動が付与され、マッサージを行うことができる。なお、使用者は本明細書でいう「振動付与対象物」に相当する。また、電源スイッチ２０をオフ操作すると、振動源４２への電力の供給が停止される。
【００６４】
前記したシートマッサージャー３２によると、バッテリパック１から振動源４２に電力が供給され、施療部材４０が振動することにより、使用者の背中にマッサージ効果を付与することができる。また、バッテリパック１を電源とするシートマッサージャー３２であることから、商用１００Ｖの交流電源がない場所でも利用することができる。また、ねじ締め機等の充電式電動工具の電源としても利用できるバッテリパック１を電源として用いる構成であるので、既にバッテリパック１を所有する使用者にとって、バッテリパック１を有効に活用することができる。
【００６５】
なお、シートマッサージャー３２のバッテリ取り付け部３５についても、スライド取り付け形式のバッテリパック１に代えて、差し込み取り付け形式のバッテリパック２（図８参照）を取り付け可能とする構成としてもよい。また、第３実施形態の分離式のバッテリ取り付け部２５（図９参照）を適用してもよい。また、シートマッサージャー３２を商用１００Ｖの交流電源を利用可能な構成（充交両用）としてもよい。
【００６６】
［第５実施形態］本実施形態は、第１実施形態（図１参照）に変更を加えたものであるから、その変更部分について説明し、重複する説明は省略する。本実施形態では、振動機能を有する電気器具としての背負い式マッサージャーを例示する。図１１は背負い式マッサージャーを示す斜視図である。図１１中の方位は使用者（着用者）から見た方向を示している。
【００６７】
図１１に示すように、背負い式マッサージャー４６は、使用者が背負うように着用することのできる携行式のマッサージャーである。背負い式マッサージャー４６は、背負い体４７と左右一対のバッテリ取り付け部４９とを備えている。背負い体４７は、背負い部５１と左右一対の肩掛け部５２とを有している。背負い部５１は、使用者の背中を覆うように形成されている。両肩掛け部５２は、使用者の両肩に掛かるように形成されている。両肩掛け部５２と背負い部５１との間には、使用者が両腕を通すことのできる腕挿通口部５３が形成されている。両肩掛け部５２の下端部と背負い部５１との間には、腕挿通口部５３の開口面積を調整可能なベルト５４が設けられている。背負い体４７は、使用者が両腕挿通口部５３に両腕を通すことにより背負うことができる。
【００６８】
背負い部５１の前面側には、施療部材５６が振動可能に設けられている。施療部材５６は、背負い部５１の表皮材の一部を含んで構成されている。背負い部５１内には、振動を発生する振動源５８が収容されている。振動源５８には、施療部材５６が振動伝達可能に連結されている。振動源５８の発生する振動が施療部材５６に伝達されることで、施療部材５６が振動される。なお、背負い式マッサージャー４６は本明細書でいう「電気器具」、「健康器具」に相当する。また、背負い体４７は本明細書でいう「電気器具本体」に相当する。また、施療部材５６は本明細書でいう「振動部材」に相当する。
【００６９】
両バッテリ取り付け部４９は、両肩掛け部５２の前側部に設けられている。バッテリ取り付け部４９の構成は、第１実施形態のバッテリ取り付け部１３（図２参照）と同様であるから、その説明を省略する。すなわち、両バッテリ取り付け部４９には、バッテリパック１が着脱可能に取り付けられる。なお、本実施形態では、両バッテリ取り付け部４９に対するバッテリパック１の取り付け方向を下方、また、その取り外し方向を上方とする。
【００７０】
したがって、バッテリパック１は、バッテリ取り付け部４９に取り付けると、背負い体４７に内装した電源回路に電気的に接続される。また、両肩掛け部５２の前側部には、両コントロールボックス６０が設けられている。コントロールボックス６０は、電源をオン、オフする電源スイッチ６０ａ、振動の強、弱を切り替える強度切り替えスイッチ６０ｂ、バッテリパック１の残容量、振動の強弱状態等を表示する表示部６０ｃ等を備えている。すなわち、本実施形態では、バッテリ取り付け部４９及びコントロールボックス６０が左右２組設けられている。
【００７１】
前記した背負い式マッサージャー４６において、使用者が背負い体４７を着用して背中に施療部材５６を宛がう。この状態で、コントロールボックス６０の電源スイッチ６０ａをオン操作すると、振動源５８に電力が供給されるため、振動源５８が振動を発生し、施療部材５６に振動が伝達される。これにより、使用者の背中に施療部材５６の振動が付与され、マッサージを行うことができる。なお、使用者は本明細書でいう「振動付与対象物」に相当する。また、電源スイッチ６０ａをオフ操作すると、振動源５８への電力の供給が停止される。
【００７２】
前記した背負い式マッサージャー４６によると、バッテリパック１から振動源５８に電力が供給され、施療部材５６が振動することにより、使用者の背中にマッサージ効果を付与することができる。また、バッテリパック１を電源とする背負い式マッサージャー４６であることから、商用１００Ｖの交流電源がない場所でも利用することができる。また、ねじ締め機等の充電式電動工具の電源としても利用できるバッテリパック１を電源として用いる構成であるので、既にバッテリパック１を所有する使用者にとって、バッテリパック１を有効に活用することができる。
【００７３】
なお、背負い式マッサージャー４６のバッテリ取り付け部４９についても、スライド取り付け形式のバッテリパック１に代えて、差し込み取り付け形式のバッテリパック２（図８参照）を取り付け可能とする構成としてもよい。また、第３実施形態の分離式のバッテリ取り付け部２５（図９参照）を適用してもよい。また、シートマッサージャー３２を商用１００Ｖの交流電源を利用可能な構成（充交両用）としてもよい。また、バッテリ取り付け部４９及びコントロールボックス６０は１組としてもよい。
【００７４】
［第６実施形態］本実施形態は、第１実施形態（図１参照）に変更を加えたものであるから、その変更部分について説明し、重複する説明は省略する。本実施形態では、振動機能を有する電気器具としてのマッサージクッションを例示する。図１２はマッサージクッションを示す斜視図である。マッサージクッションに係る方位を図１２に矢印で示すとおりに定める。図１２に示すように、マッサージクッション６２は、クッション体６３とバッテリ取り付け部６５とを備えている。
【００７５】
クッション体６３は、座布団状に形成されている。クッション体６３の前面側には、施療部材６７が振動可能に設けられている。施療部材６７は、クッション体６３の表皮材の一部を含んで構成されている。クッション体６３内には、振動を発生する振動源６９が収容されている。振動源６９には、施療部材６７が振動伝達可能に連結されている。振動源６９の発生する振動が施療部材６７に伝達されることで、施療部材６７が振動される。なお、マッサージクッション６２は本明細書でいう「電気器具」、「健康器具」に相当する。また、クッション体６３は本明細書でいう「電気器具本体」に相当する。また、施療部材６７は本明細書でいう「振動部材」に相当する。
【００７６】
バッテリ取り付け部６５は、クッション体６３から分離された分離式のバッテリ取り付け部である。バッテリ取り付け部６５は、第３実施形態のバッテリ取り付け部２５（図９参照）と同様であるから、その説明を省略する。すなわち、バッテリ取り付け部６５には、バッテリパック１が着脱可能に取り付けられる。クッション体６３には、電源コード７１を介してバッテリ取り付け部６５が接続されている。バッテリ取り付け部６５の電気回路とクッション体６３の電源回路とは、電源コード７１を介して電気的に接続されている。したがって、バッテリパック１は、バッテリ取り付け部６５に取り付けると、クッション体６３に内装した電源回路に電気的に接続される。また、電源コード７１の途中には、コントロールボックス７３が介装されている。コントロールボックス７３は、電源をオン、オフする電源スイッチ７３ａ、振動の強、弱を切り替える強度切り替えスイッチ７３ｂ、バッテリパック１の残容量、振動の強弱状態等を表示する表示部７３ｃ等を備えている。
【００７７】
前記したマッサージクッション６２において、使用者がクッション体６３の施療部材６７を腰、背中等に宛がう。この状態で、コントロールボックス７３の電源スイッチ７３ａをオン操作すると、振動源６９に電力が供給されるため、振動源６９が振動を発生し、施療部材６７に振動が伝達される。これにより、使用者の腰、背中等に施療部材６７の振動が付与され、マッサージを行うことができる。なお、使用者は本明細書でいう「振動付与対象物」に相当する。また、電源スイッチ７３ａをオフ操作すると、振動源６９への電力の供給が停止される。
【００７８】
前記したマッサージクッション６２によると、バッテリパック１から振動源６９に電力が供給され、施療部材６７が振動することにより、使用者の腰、背中等にマッサージ効果を付与することができる。また、クッション体６３とバッテリ取り付け部６５とが分離されていることから、バッテリ取り付け部６５及びバッテリパック１が使用者に当たるといったことがなく、その使用感が損なわれることがない。また、バッテリパック１を電源とするマッサージクッション６２であることから、商用１００Ｖの交流電源がない場所でも利用することができる。また、ねじ締め機等の充電式電動工具の電源としても利用できるバッテリパック１を電源として用いる構成であるので、既にバッテリパック１を所有する使用者にとって、バッテリパック１を有効に活用することができる。
【００７９】
なお、マッサージクッション６２のバッテリ取り付け部６５についても、スライド取り付け形式のバッテリパック１に代えて、差し込み取り付け形式のバッテリパック２（図８参照）を取り付け可能とする構成としてもよい。また、マッサージクッション６２を商用１００Ｖの交流電源を利用可能な構成（充交両用）としてもよい。
【００８０】
［第７実施形態］本実施形態は、第１実施形態（図１参照）に変更を加えたものであるから、その変更部分について説明し、重複する説明は省略する。本実施形態では、振動機能を有する電気器具としてのネックマッサージャーを例示する。図１３はネックマッサージャーを示す斜視図である。ネックマッサージャーに係る方位を図１３に矢印で示すとおりに定める。図１３に示すように、ネックマッサージャー７５は、首枕体７６とバッテリ取り付け部７８とを備えている。
【００８１】
首枕体７６は、逆Ｕ字状に形成されている。首枕体７６の上端部の前面側には、施療部材８０が振動可能に設けられている。施療部材８０は、首枕体７６の表皮材の一部を含んで構成されている。首枕体７６内には、振動を発生する振動源８２が収容されている。振動源８２には、施療部材８０が振動伝達可能に連結されている。振動源８２の発生する振動が施療部材８０に伝達されることで、施療部材８０が振動される。なお、ネックマッサージャー７５は本明細書でいう「電気器具」、「健康器具」に相当する。また、首枕体７６は本明細書でいう「電気器具本体」に相当する。また、施療部材８０は本明細書でいう「振動部材」に相当する。
【００８２】
バッテリ取り付け部７８は、首枕体７６から分離された分離式のバッテリ取り付け部である。バッテリ取り付け部７８は、第３実施形態のバッテリ取り付け部２５（図９参照）と同様であるから、その説明を省略する。すなわち、バッテリ取り付け部７８には、バッテリパック１が着脱可能に取り付けられる。首枕体７６には、電源コード８４を介してバッテリ取り付け部７８が接続されている。バッテリ取り付け部７８の電気回路と首枕体７６の電源回路とは、電源コード８４を介して電気的に接続されている。したがって、バッテリパック１は、バッテリ取り付け部７８に取り付けると、首枕体７６に内装した電源回路に電気的に接続される。また、電源コード８４の途中には、コントロールボックス８６が介装されている。コントロールボックス８６は、電源をオン、オフする電源スイッチ８６ａ、振動の強、弱を切り替える強度切り替えスイッチ８６ｂ、バッテリパック１の残容量、振動の強弱状態等を表示する表示部８６ｃ等を備えている。
【００８３】
前記したネックマッサージャー７５において、使用者が首枕体７６を首にかけて、首の後ろ側に施療部材８０を宛がう。この状態で、コントロールボックス８６の電源スイッチ８６ａをオン操作すると、振動源８２に電力が供給されるため、振動源８２が振動を発生し、施療部材８０に振動が伝達される。これにより、使用者の首に施療部材８０の振動が付与され、マッサージを行うことができる。なお、使用者は本明細書でいう「振動付与対象物」に相当する。また、電源スイッチ８６ａをオフ操作すると、振動源８２への電力の供給が停止される。
【００８４】
前記したネックマッサージャー７５によると、バッテリパック１から振動源８２に電力が供給され、施療部材８０が振動することにより、使用者の首にマッサージ効果を付与することができる。また、首枕体７６とバッテリ取り付け部７８とが分離されていることから、バッテリ取り付け部７８及びバッテリパック１が使用者に当たるといったことがなく、その使用感が損なわれることがない。また、バッテリパック１を電源とするネックマッサージャー７５であることから、商用１００Ｖの交流電源がない場所でも利用することができる。また、ねじ締め機等の充電式電動工具の電源としても利用できるバッテリパック１を電源として用いる構成であるので、既にバッテリパック１を所有する使用者にとって、バッテリパック１を有効に活用することができる。
【００８５】
なお、ネックマッサージャー７５のバッテリ取り付け部７８についても、スライド取り付け形式のバッテリパック１に代えて、差し込み取り付け形式のバッテリパック２（図８参照）を取り付け可能とする構成としてもよい。また、ネックマッサージャー７５を商用１００Ｖの交流電源を利用可能な構成（充交両用）としてもよい。
【００８６】
［第８実施形態］本実施形態は、第１実施形態（図１参照）に変更を加えたものであるから、その変更部分について説明し、重複する説明は省略する。本実施形態では、振動機能を有する電気器具としてのハンディマッサージャーを例示する。このハンディマッサージャーは、実施形態１のハンディマッサージャー１０（図１参照）と異なり、施術者を要することなく、使用者自身が使用することができる。図１４はハンディマッサージャーを示す斜視図である。ハンディマッサージャーに係る方位を図１４に矢印で示すとおりに定める。図１４に示すように、ハンディマッサージャー８８は、マッサージャー本体８９とバッテリ取り付け部９１とを備えている。
【００８７】
マッサージャー本体８９は、ヘッド部９３ａを有するグリップ部９３を備えている。グリップ部９３は、ヘッド部９３ａを有している。ヘッド部９３ａの下面側には、施療部材９５が振動可能に設けられている。ヘッド部９３ａ内には、振動を発生する振動源９７が収容されている。振動源９７には、施療部材９５が振動伝達可能に連結されている。振動源９７の発生する振動が施療部材９５に伝達されることで、施療部材９５が振動される。なお、ハンディマッサージャー８８は本明細書でいう「電気器具」、「健康器具」に相当する。また、マッサージャー本体８９は本明細書でいう「電気器具本体」に相当する。
また、施療部材９５は本明細書でいう「振動部材」に相当する。
【００８８】
バッテリ取り付け部９１は、マッサージャー本体８９のグリップ部９３から分離された分離式のバッテリ取り付け部である。バッテリ取り付け部９１は、第３実施形態のバッテリ取り付け部２５（図９参照）と同様であるから、その説明を省略する。すなわち、バッテリ取り付け部９１には、バッテリパック１が着脱可能に取り付けられる。マッサージャー本体８９には、電源コード９９を介してバッテリ取り付け部９１が接続されている。
バッテリ取り付け部９１の電気回路とマッサージャー本体８９の電源回路とは、電源コード９９を介して電気的に接続されている。したがって、バッテリパック１は、バッテリ取り付け部９１に取り付けると、マッサージャー本体８９に内装した電源回路に電気的に接続される。また、グリップ部９３には、電源をオン、オフする電源スイッチ１０１ａ、振動の強、弱を切り替える強度切り替えスイッチ１０１ｂ、バッテリパック１の残容量、振動の強弱状態等を表示する表示部１０１ｃ等が設けられている。
【００８９】
前記したハンディマッサージャー８８において、使用者がマッサージャー本体８９の施療部材９５を肩、背中等に宛がう。この状態で、電源スイッチ１０１ａをオン操作すると、振動源９７に電力が供給されるため、振動源９７が振動を発生し、施療部材９５に振動が伝達される。これにより、使用者の肩、背中等に施療部材９５の振動が付与され、マッサージを行うことができる。なお、使用者は本明細書でいう「振動付与対象物」に相当する。また、電源スイッチ１０１ａをオフ操作すると、振動源９７への電力の供給が停止される。
【００９０】
前記したハンディマッサージャー８８によると、バッテリパック１から振動源９７に電力が供給され、施療部材９５が振動することにより、使用者の腰、背中等にマッサージ効果を付与することができる。また、マッサージャー本体８９とバッテリ取り付け部９１とが分離されていることから、バッテリ取り付け部９１及びバッテリパック１が使用者に当たるといったことがなく、その使用感が損なわれることがない。また、バッテリパック１を電源とするハンディマッサージャー８８であることから、商用１００Ｖの交流電源がない場所でも利用することができる。また、ねじ締め機等の充電式電動工具の電源としても利用できるバッテリパック１を電源として用いる構成であるので、既にバッテリパック１を所有する使用者にとって、バッテリパック１を有効に活用することができる。
【００９１】
なお、ハンディマッサージャー８８のバッテリ取り付け部９１についても、スライド取り付け形式のバッテリパック１に代えて、差し込み取り付け形式のバッテリパック２（図８参照）を取り付け可能とする構成としてもよい。また、ハンディマッサージャー８８を商用１００Ｖの交流電源を利用可能な構成（充交両用）としてもよい。
【００９２】
［第９実施形態］本実施形態は、第１実施形態（図１参照）に変更を加えたものであるから、その変更部分について説明し、重複する説明は省略する。本実施形態では、振動機能を有する電気器具としてのアイマスクを例示する。図１５はアイマスクを示す斜視図である。アイマスクに係る方位を図１５に矢印で示すとおりに定める。図１５に示すように、アイマスク１０３は、マスク本体１０４とバッテリ取り付け部１０６とを備えている。
【００９３】
マスク本体１０４は、両眼を覆う目隠し部１０８と、目隠し部１０８の両端部の間に架設された装着バンド１０９とを有している。目隠し部１０８の上縁部の裏面側（後ろ側）には、施療部材１１０が振動可能に設けられている。施療部材１１０は、マスク本体１０４の裏面側の表皮材の一部を含んで構成されている。目隠し部１０８の上縁部内には、振動を発生する振動源１１２が収容されている。マスク本体１０４内には、振動を発生する振動源１１２が収容されている。振動源１１２には、施療部材１１０が振動伝達可能に連結されている。振動源１１２の発生する振動が施療部材１１０に伝達されることで、施療部材１１０が振動される。なお、アイマスク１０３は本明細書でいう「電気器具」、「健康器具」に相当する。また、マスク本体１０４は本明細書でいう「電気器具本体」に相当する。また、施療部材１１０は本明細書でいう「振動部材」に相当する。
【００９４】
バッテリ取り付け部１０６は、マスク本体１０４から分離された分離式のバッテリ取り付け部である。バッテリ取り付け部１０６は、第３実施形態のバッテリ取り付け部２５（図９参照）と同様であるから、その説明を省略する。すなわち、バッテリ取り付け部１０６には、バッテリパック１が着脱可能に取り付けられる。マスク本体１０４には、電源コード１１４を介してバッテリ取り付け部１０６が接続されている。バッテリ取り付け部１０６の電気回路とマスク本体１０４の電源回路とは、電源コード１１４を介して電気的に接続されている。したがって、バッテリパック１は、バッテリ取り付け部１０６に取り付けると、マスク本体１０４に内装した電源回路に電気的に接続される。また、電源コード１１４の途中には、コントロールボックス１１６が介装されている。コントロールボックス１１６は、電源をオン、オフする電源スイッチ１１６ａ、振動の強、弱を切り替える強度切り替えスイッチ１１６ｂ、バッテリパック１の残容量、振動の強弱状態等を表示する表示部１１６ｃ等を備えている。
【００９５】
前記したアイマスク１０３において、使用者がマスク本体１０４を両眼に宛がう。この状態で、コントロールボックス１１６の電源スイッチ１１６ａをオン操作すると、振動源１１２に電力が供給されるため、振動源１１２が振動を発生し、施療部材１１０に振動が伝達される。これにより、使用者の眉間部に施療部材１１０の振動が付与され、マッサージを行うことができる。なお、使用者は本明細書でいう「振動付与対象物」に相当する。また、電源スイッチ１１６ａをオフ操作すると、振動源１１２への電力の供給が停止される。
【００９６】
前記したアイマスク１０３によると、バッテリパック１から振動源１１２に電力が供給され、施療部材１１０が振動することにより、使用者の眉間部にマッサージ効果を付与することができる。また、マスク本体１０４とバッテリ取り付け部１０６とが分離されていることから、バッテリ取り付け部１０６及びバッテリパック１が使用者に当たるといったことがなく、その使用感が損なわれることがない。また、バッテリパック１を電源とするアイマスク１０３であることから、商用１００Ｖの交流電源がない場所でも利用することができる。また、ねじ締め機等の充電式電動工具の電源としても利用できるバッテリパック１を電源として用いる構成であるので、既にバッテリパック１を所有する使用者にとって、バッテリパック１を有効に活用することができる。
【００９７】
なお、アイマスク１０３のバッテリ取り付け部１０６についても、スライド取り付け形式のバッテリパック１に代えて、差し込み取り付け形式のバッテリパック２（図８参照）を取り付け可能とする構成としてもよい。また、アイマスク１０３を商用１００Ｖの交流電源を利用可能な構成（充交両用）としてもよい。
【００９８】
［第１０実施形態］本実施形態は、第１実施形態（図１参照）に変更を加えたものであるから、その変更部分について説明し、重複する説明は省略する。本実施形態では、振動機能を有する電気器具としての刃物研ぎ機を例示する。刃物研ぎ機は、刃物、例えば包丁を研ぐものである。図１６は刃物研ぎ機を示す斜視図である。刃物研ぎ機に係る方位を図１６に矢印で示すとおりに定める。
【００９９】
図１６に示すように、刃物研ぎ機１１８は、研ぎ機本体１１９とバッテリ取り付け部１２１とを備えている。研ぎ機本体１１９は、ボックス状に形成されている。研ぎ機本体１１９の上面部には、包丁の刃先部を挿入可能な刃先挿入溝１１９ａが形成されている。研ぎ機本体１１９の上端部内には、左右一対の砥石部材１２３が振動可能に設けられている。研ぎ機本体１１９内には、振動を発生する振動源１２５が収容されている。振動源１２５には、両砥石部材１２３が振動伝達可能に連結されている。刃先挿入溝１１９ａに挿入された包丁の刃先部は、両砥石部材１２３の相互間に介入される。振動源１２５の発生する振動が両砥石部材１２３に伝達されることで、砥石部材１２３が振動される。なお、刃物研ぎ機１１８は本明細書でいう「電気器具」、「調理器具」に相当する。また、研ぎ機本体１１９は本明細書でいう「電気器具本体」に相当する。また、砥石部材１２３は本明細書でいう「振動部材」に相当する。
【０１００】
バッテリ取り付け部１２１は、研ぎ機本体１１９の正面側に設けられている。バッテリ取り付け部１２１の構成は、第１実施形態のバッテリ取り付け部１３（図２参照）と同様であるから、その説明を省略する。すなわち、バッテリ取り付け部１２１には、バッテリパック１が着脱可能に取り付けられる。なお、本実施形態では、バッテリ取り付け部１２１に対するバッテリパック１の取り付け方向を下方、また、その取り外し方向を上方とする。
【０１０１】
したがって、バッテリパック１は、バッテリ取り付け部１２１に取り付けると、研ぎ機本体１１９に内装した電源回路に電気的に接続される。また、研ぎ機本体１１９には、電源をオン、オフする電源スイッチ１２７ａ、振動の強、弱を切り替える強度切り替えスイッチ１２７ｂ、バッテリパック１の残容量、振動の強弱状態等を表示する表示部１２７ｃ等が設けられている。
【０１０２】
前記した刃物研ぎ機１１８において、電源スイッチ１２７ａをオン操作すると、振動源１２５に電力が供給されるため、振動源１２５が振動を発生し、両砥石部材１２３に振動が伝達される。この状態で、使用者が包丁の刃先部を研ぎ機本体１１９の刃先挿入溝１１９ａから両砥石部材１２３の間に介入させることにより、包丁の刃先部に両砥石部材１２３の振動が付与され、刃先部を研ぐことができる。なお、包丁は本明細書でいう「刃物」、「振動付与対象物」に相当する。また、電源スイッチ１２７ａをオフ操作すると、振動源１２５への電力の供給が停止される。
【０１０３】
前記した刃物研ぎ機１１８によると、バッテリパック１から振動源１２５に電力が供給され、両砥石部材１２３が振動することにより、包丁の刃先部を研ぐことができる。また、バッテリパック１を電源とする刃物研ぎ機１１８であることから、商用１００Ｖの交流電源がない場所でも利用することができる。また、ねじ締め機等の充電式電動工具の電源としても利用できるバッテリパック１を電源として用いる構成であるので、既にバッテリパック１を所有する使用者にとって、バッテリパック１を有効に活用することができる。
【０１０４】
なお、刃物研ぎ機１１８のバッテリ取り付け部１２１についても、スライド取り付け形式のバッテリパック１に代えて、差し込み取り付け形式のバッテリパック２（図８参照）を取り付け可能とする構成としてもよい。また、第３実施形態の分離式のバッテリ取り付け部２５（図９参照）を適用してもよい。また、刃物研ぎ機１１８を商用１００Ｖの交流電源を利用可能な構成（充交両用）としてもよい。
【０１０５】
［第１１実施形態］本実施形態は、第３実施形態（図９参照）に変更を加えたものであるから、その変更部分について説明し、重複する説明は省略する。本実施形態では、分離式のバッテリ取り付け部（図９、図１２〜図１５参照）について、器具本体に対して電源コードを切り離し可能とすることによって、外部接続式の電源アダプタとするものである。図１７はスティック型のバッテリパック用電源アダプタを示す斜視図である。
【０１０６】
図１７に示すように、電源アダプタ６は、図８に示すスティック形のバッテリパック２を電源として利用するもので、比較的小型軽量で大きな電力を必要としない電気器具１３０に適している。この電源アダプタ６は、筒体形状を有し、その内周側にバッテリパック２を差し込んで電気的に接続するアダプタ本体６ａを備えている。アダプタ本体６ａから伸縮自在なカール式の電源コード６ｂが引き出されている。電源コード６ｂの先端部には、電気器具１３０の器具本体１３１に設けた電源ジャック８に差し込んで接続する接続プラグ６ｃが設けられている。なお、アダプタ本体６ａは本明細書でいう「バッテリ取り付け部」に相当する。
【０１０７】
上記の外部接続式の電源アダプタ６によれば、電気器具１３０の器具本体１３１の小型化、軽量化を図ってその使い勝手を一層高めることができる。また、電源アダプタ６をオプション部品とすることにより、電気器具１３０の販売価格を下げることができるとともに、その汎用性を高めることができる。
【０１０８】
［第１２実施形態］本実施形態は、第１１実施形態（図１７参照）に変更を加えたものであるから、その変更部分について説明し、重複する説明は省略する。図１８は第１２実施形態に係るボックス型のバッテリパック用電源アダプタを示す斜視図である。図１８に示すように、電源アダプタ７は、図３〜図５に示すボックス形のバッテリパック１を電源として利用するもので、比較的大きな電力を要する電気器具１３３に適している。電源アダプタ７は、台座形を有し、その下面側にスライド取り付け形式のバッテリパック１を取り付けるアダプタ本体７ａを備えている。アダプタ本体７ａから伸縮自在なカール式の電源コード７ｂが引き出されている。電源コード７ｂの先端には、電気器具１３３の器具本体１３４に設けた電源ジャック９に差し込んで接続する接続プラグ７ｃが設けられている。アダプタ本体７ａの上面には、使用者が腰ベルト等に当該電源アダプタ７を引き掛けておくためのフック７ｄが設けられている。なお、アダプタ本体７ａは本明細書でいう「バッテリ取り付け部」に相当する。
【０１０９】
上記の外部接続式の電源アダプタ７によれば、電気器具１３３の器具本体１３４の小型化、軽量化を図ってその使い勝手を一層高めることができる。また、電源アダプタ７をオプション部品とすることにより、電気器具１３３の販売価格を下げることができるとともに、その汎用性を高めることができる。
【０１１０】
［電気器具とバッテリパックとの間の制御］
前記した各種の電気器具（符号、３００を付す）とバッテリパック（符号、４００を付す）との間でなされる各種の制御について説明する。これまでに例示した各種の電気器具について適用されるコントローラを総括した基本的な範囲で説明する。バッテリパック４００は、スライド取り付け形式（ボックス形）のバッテリパック１に相当する。なお、スティック形のバッテリパック２を用いる場合であっても、制御内容は実質的に同じである。
【０１１１】
図１９に示すように、バッテリパック４００には、正負の電源端子受け部４０１，４０２と３つの通信端子受け部４０３，４０４，４０５が設けられている。また、バッテリパック４００の下面には、電力の残容量をＬＥＤ表示するための残容量表示部４０６が設けられている。バッテリパック４００には、残容量検出回路４０７と３本のバッテリセルＶ１，Ｖ２，Ｖ３が内装されている。３本のバッテリセルＶ１，Ｖ２，Ｖ３で１０．８Ｖの出力電圧が確保される。バッテリパック４００には、バッテリセルＶ１の温度を検出するサーミスタ４０８が内装されている。
【０１１２】
なお、サーミスタ４０８は抵抗温度特性が負特性のＮＴＣサーミスタが一般的に用いられるが、正特性のＰＴＣサーミスタを用いてもよい。また、本実施形態ではサーミスタ４０８はバッテリの温度を適切に検出するため、バッテリセルＶ１の近傍に配置した構成が例示されているが、これに代えてバッテリセルＶ２，Ｖ３の近傍に配置する構成としてもよい。Ｖ１，Ｖ２，Ｖ３に大きな温度差がある場合は、最も温度上昇しやすいバッテリセルにサーミスタを配置することが望ましい。
【０１１３】
バッテリパック４００は、電気器具のバッテリ取り付け部から取り外した状態であっても、残容量表示部４０６で残容量を確認することができる。残容量表示部４０６は、ＬＥＤ１〜ＬＥＤ４で４灯表示される。残容量検出回路４０７は、使用者が残容量スイッチ４０９（図５に示す残容量スイッチ１ｋ）を押し操作すると、残容量に応じてＬＥＤ１〜ＬＥＤ４を点灯させる。残容量検出回路４０７では、バッテリ電圧に応じて残容量が検出され、例えば残容量が２５パーセント毎に、１灯、２灯、３灯、４灯と点灯数を切り替える制御がなされる。
【０１１４】
バッテリパック４００の正負の電源端子受け部４０１，４０２と、３つの通信端子受け部４０３，４０４，４０５のうちバッテリセル温度検出用端子受け部４０５が電気器具のバッテリ取り付け部側に電気的に接続される。バッテリセル温度検出用端子受け部４０５が、図４における中央の通信端子受け部１ｄに相当する。３つの通信端子受け部４０３，４０４，４０５のうち、バッテリセル電圧検出用端子受け部４０３，４０４は充電器用端子受け部であり、充電器との間でのみ接続される。電気器具３００には、電気エネルギーを電気器具の振動に変換する動力変換部３０１と、電源回路３０２と、制御マイコン３０３と、バッテリ状態検出部３０４と、通電制御スイッチ（ＦＥＴ）３０５と、スイッチの駆動回路３０６と、メインスイッチ３１０と、強弱スイッチ３１１と、電流検出回路３１５が搭載されている。
【０１１５】
電源回路３０２では、バッテリ電圧が入力されると、そのバッテリ電圧を所定電圧値の制御電圧Ｖｃｃに降圧して出力する。電源回路３０２で生成される制御電圧Ｖｃｃは、制御マイコン３０３や駆動回路３０６など各部の動作用電源として用いられる。
【０１１６】
制御マイコン３０３は、ＣＰＵ、ＲＯＭ、ＲＡＭ、Ｉ／Ｏなどを備えたマイクロコンピュータである。
【０１１７】
バッテリ状態検出部３０４では、バッテリパック４００の電源端子受け部４０１及び電気機器の正極端子３１２から入力されるバッテリ電圧をバッテリ電圧検出回路３１６が検出し、制御マイコン３０３へ入力される。相互に接続された通信端子受け部４０５と通信端子３１７を介してバッテリ温度検出回路３１４がサーミスタ４０８の抵抗値を検出することで、制御マイコン３０３にサーミスタ４０８の抵抗値検出値が入力される。なお、制御マイコンのＲＯＭには、予めサーミスタ４０８の特性が格納されており、制御マイコンは入力されたサーミスタ４０８の抵抗値とＲＯＭに格納された特性データから、バッテリセルの温度を検出することができる。
【０１１８】
電流検出回路３１５では、電気器具が動作している際に流れる通電電流により、例えば電流検出用抵抗の両端に発生する電位差から、通電電流値を検出することができる。
【０１１９】
通電制御スイッチ３０５は本実施形態ではＮチャネルＭＯＳＦＥＴを用いており、駆動回路３０６がオンオフのデューティー比を制御することで、動力変換部に供給する電力を制御することができる。
【０１２０】
メインスイッチ３１０はスイッチがオン状態であるか否かを制御マイコン３０３へ入力されるように構成されており、強弱スイッチ３１１は例えば強モードで動作させたい場合にはスイッチがオン状態であることを制御マイコン３０３へ入力させ、弱モードで動作させたい場合はオフ状態であることを制御マイコン３０３へ入力させる。なお、本実施形態ではメインスイッチ３１０と強弱スイッチ３１１を別体としているが、例えば、一つのスイッチを用いて、スイッチをオンさせた回数に応じて強、弱、停止を切り替えるように構成してもよい。
【０１２１】
図２０には、制御マイコン３０３でなされる動作制御であって、主としてバッテリパック４００の放電保護を図るためのフローチャートが示されている。電気器具３００のバッテリ取り付け部にバッテリパック４００が取り付けられると、電気器具３００に電源供給されて、制御マイコン３０３が作動する。その後使用者がメインスイッチ３１０をオン操作した信号が制御マイコン３０３へ入力されると（ステップ０１、以下「ＳＴ０１」と略記する。）、先ずＳＴ０２で、制御マイコン３０３はバッテリ状態検出部３０４からバッテリ状態を取得する。バッテリ状態とは上記したようにバッテリ電圧とバッテリセル温度のことである。取得されたバッテリ状態に基づいてＳＴ０３で起動許可の条件が判定される。この場合、バッテリパック４００の電圧が８Ｖ以上で、温度が６０℃以下の場合に起動許可条件を満たしていると判定される。起動許可条件を満たしていないと判定された場合には、ＳＴ０５でフローが終了されて、メインスイッチ３１０がオン状態となっていても電気器具３００は動作を開始しない。
【０１２２】
ＳＴ０３で起動条件を満たしていると判定されると、ＳＴ０４で強モードであるか否かの確認がなされる。強弱スイッチ３１１の切り替え状態に応じて駆動回路３０６へオン、オフのデューティー比(Duty)を変化させて、通電制御スイッチ３０５により動力変換部３０１へ供給される電力が制御される。ＳＴ０４で強モードが確認されると、ＳＴ０６でDuty１００パーセントの電力が動力変換部３０１に供給される。ＳＴ０４で強モードが確認されず、弱モードと判定されると、ＳＴ０７でDuty５０パーセントの電力が動力変換部３０１に供給される。
【０１２３】
電力供給中（電気器具の使用中）、ＳＴ０８でバッテリ状態が取得される。ＳＴ０２での処理と同様にバッテリ状態検出部３０４にて、バッテリ電圧とバッテリセル温度が検出される。制御マイコン３０３は、バッテリ状態検出部３０４から、検出したバッテリ電圧とバッテリセル温度を取得する。さらに、電力供給中は通電電流が流れているため、電流検出回路３１５にて、通電電流値も検出される。制御マイコン３０３は、電流検出回路３１５から、検出した通電電流値を取得する。
【０１２４】
ＳＴ０８で取得したバッテリ状態に基づいて、ＳＴ０９で電気器具の停止条件を満たしているか否かの判定がなされる。停止条件は、例えばバッテリパック４００の電圧が７．５Ｖ以下であることが１秒以上検知され、温度が８０℃以上であることが１秒以上検知され、通電電流が８０Ａ以上であることが１秒以上検知されることに設定されている。これらの各条件の一つが検知されると、ＳＴ１１で通電制御スイッチ３０５がオフされ、メインスイッチ３１０がオン状態であっても電気器具３００が停止される。
【０１２５】
この種のバッテリパック４００は、大電流を流す電動工具あるいは電気器具に使用されるため、バッテリパック４００は高温状態になりやすい。そのため、バッテリパック４００が高温状態となったら放電を停止して寿命が短くなることを防ぐ必要がある。そこで、バッテリパック４００内のサーミスタ４０８の抵抗値の情報を電気器具３００の制御マイコン３０３がＴ端子３１７を介して読み取り、バッテリ温度が規定値（例えば８０℃）を超えたら通電制御スイッチ３０５をオフさせて電力供給を遮断する。
【０１２６】
以上の高温保護に加えて、過放電保護がなされる。過放電を防止するために、バッテリパック４００の電圧が規定値を下回ったことを検出したら放電停止するように、バッテリ電圧検出回路３１６で計測する。１０．８Ｖバッテリの場合、保護したいセル電圧２．５Ｖ×３本として、７．５Ｖを下回ったら電気器具を停止させる。ただし、電気器具は起動電流等で瞬間的に大電流が流れる場合があり、バッテリパックの残容量が空でなくても一瞬７．５Ｖを下回ってしまうことがあるため、検出時間には例えば１秒程度の幅を持たせることが望ましい。
【０１２７】
バッテリパック４００の急激な温度上昇を防ぐために、温度だけでなく一定値以上の過電流を検出したら停止するように、電流検出回路３１５で電流値が検出される。なお、起動時などの突入電流で停止しないように、検出時間には幅を持たせることが望ましい。また、バッテリパック４００だけでなく、電気器具自体も過電流が流れ続けると故障の原因になるため、電気器具側に流すことのできる電流値でバッテリパック４００の過電流保護を設定してもよい。
【０１２８】
上記各保護機能が動作して電気器具が停止したら、メインスイッチ３１０がオン状態を維持している間は、電気器具が動作しないようにラッチをかけておくと、使用者が意図しないときに電気器具が動作を再開してしまうことを防止することができる。また、動作してもすぐ停止しないように、起動条件は停止条件に対してヒステリシスを持たせておくとよい。例えば、７．５Ｖで停止させ、８．０Ｖで動作開始させる制御、あるいは８０℃で停止させて６０℃で動作開始させる制御を行うことが望ましい。
【０１２９】
また、バッテリセルの温度だけでなく、電気器具内の温度を検出して一定値を超えたら停止するようにしてもよい。例えば、動力変換部３０１の温度を検出できるように、動力変換部温度検出回路３０８のサーミスタを動力変換部３０１の近傍に配置する。動力変換部温度検出回路３０８により動力変換部３０１の温度が制御マイコン３０３入力され、動力変換部３０１の温度が異常状態となったら、制御マイコン３０３は、電気器具の停止条件を満たしていると判断し、電気器具を停止させるようにしてもよい。その際に、制御マイコン３０３は、電気機器に異常があることを報知させる構成としてもよい。
【０１３０】
バッテリ状態検出部３０４で検出したバッテリパック電圧、バッテリセル温度、及び電流検出回路３１５で検出した電流値のいずれかが、電気器具の起動許可条件を満たさない、または器具の停止条件を満たしていたら、ＬＥＤ５を点灯させて、バッテリパック４００が放電不可状態であることを報知してもよい。
【０１３１】
また、電気器具の動力変換部の温度が異常状態であると判定されたら、ＬＥＤ６を点灯させて、電気器具が放電不可状態であることを報知してもよい。さらに、ＬＥＤ５とＬＥＤ６を１つのＬＥＤで構成してもよい。例えば、ＬＥＤ５の電気器具側の異常と、バッテリ放電不可状態の点滅パターンや、点灯色を変更して報知してもよい。このような構成とすることで、バッテリパック４００か電気器具のいずれかが使用不能であることを使用者に報知する構成とすることができる。
【０１３２】
本実施形態では、報知部としてのＬＥＤ５、６が、機器側に設けられる例を開示したが、バッテリに設けられていてもよいし、アダプタに設けられてもよい。
【０１３３】
電気器具３００内の配線が外れてショートするなどの異常が発生して過大な電流が流れてしまうと、バッテリパック４００や電気器具が故障するおそれがあるため、バッテリパック４００及び電気器具を保護するために、バッテリパック４００の内部若しくは電気器具の内部にヒューズ３２０を搭載する構成としてもよい。ヒューズ３２０は図１９に示すように電気器具３００側に搭載すると、ヒューズ３２０が切れてもバッテリパック４００は使用可能となるため、電気器具３００側にヒューズ３２０を搭載することが望ましい。
【０１３４】
図２１には、図１９とは異なる形態のバッテリパック４５０と電気器具３５０の構成が示されている。この構成では、電源回路４６１や制御マイコン４５４がバッテリパック４５０内にも構成されている。さらに、電圧監視回路４６０やバッテリセルの温度検出回路４５６、電流検出回路４５７もバッテリパック４５０内に構成されている。
【０１３５】
電源回路４６１は、制御マイコン４５４など、バッテリ内の各部の動作用電源として用いられる。制御マイコン４５４は、ＣＰＵ、ＲＯＭ、ＲＡＭ、Ｉ／Ｏなどを備えたマイクロコンピュータである。電圧監視回路４６０は、Ｖ１，Ｖ２，Ｖ３のセル毎の電圧を検出し、制御マイコンへ入力する。温度検出回路４５６は、バッテリセルＶ１の近傍に備えられたサーミスタの抵抗値からバッテリセル温度を検出し、制御マイコン４５４へ入力する。電流検出回路４５７は、電気器具が動作している際に流れる通電電流を検出して、制御マイコン４５４へ入力する。残容量スイッチ４５５がオンされると、制御マイコン４５４へ信号が入力され、制御マイコン４５４は、セル電圧に応じたバッテリ残容量を算出し、残容量表示回路（ＬＥＤ等）へ表示させる。
【０１３６】
バッテリパック４５０には、正負の電源端子受け部４５１，４５２と、通信端子受け部４５３，４５９が設けられており、通信端子受け部４５３，４５９は電気器具３５０の通信端子３１７，３１８と接続されるように構成されている。バッテリ内の制御マイコン４５４は、通信端子受け部４５３と通信端子３１７（以下接続部Ｃ）を介して、電気器具３５０の制御マイコン３０３からの信号が受信可能な構成となっており、通信端子受け部４５９と通信端子３１８（以下接続部Ｄ）を介して、電気器具３５０の制御マイコン３０３へ信号が送信可能な構成となっている。
【０１３７】
電気器具３５０には、前記電気器具３００と同様、正負の電源端子３１２，３１３、通信端子３１７，３１８、制御マイコン３０３、電源回路３０２、通電制御スイッチ（ＦＥＴ）３０５、駆動回路３０６、メインスイッチ３１０、強弱スイッチ３１１が設けられている。
【０１３８】
図２２には、制御マイコン３０３でなされる電気器具３５０側の動作制御のフローチャートが示され、図２３には、制御マイコン４５４でなされるバッテリパック４５０側の動作制御のフローチャートが示され、これらの動作制御により主としてバッテリパック４５０の放電保護が図られる。使用者がメインスイッチ３１０をオン操作した信号が制御マイコン３０３へ入力されると（ＳＴ２１）、まず制御マイコン３０３は接続部ＣへＨｉレベルの信号を出力する（ＳＴ２２）。
【０１３９】
制御マイコン４５４は、接続部ＣからＨｉレベルの信号が入力されると動作制御を開始し（ＳＴ４１）、ＳＴ４２にてバッテリ状態を取得する。制御マイコン４５４は電圧監視回路４６０からバッテリセルＶ１，Ｖ２，Ｖ３の電圧を個別に検出し、温度検出回路４５６からバッテリセルの温度を検出する。ＳＴ４３にて、制御マイコン４５４はバッテリセルＶ１，Ｖ２，Ｖ３の各電圧、及び、バッテリセル温度が機器の起動許可条件を満たしているか否かを判断する。なお、図２１の構成ではバッテリセルの電圧を個別に検出することが可能であるため、起動条件はＶ１〜Ｖ３の中で最も低い電圧のセルが２．７Ｖ以上あるか否かで判定する。バッテリセル温度の起動許可条件については、図１９の構成と同様に６０℃以上であるか否かで判定する。
【０１４０】
制御マイコン４５４はバッテリパック４５０が起動許可条件を満たしている場合、つまり機器を起動してよいと判定したら、接続部Ｄの電位がＬｏｗレベルとなるように出力する（ＳＴ４５）。なお、起動許可条件を満たしていない場合は、動作を終了する（ＳＴ４４）。
【０１４１】
制御マイコン３０３は、ＳＴ２２が終了したらＳＴ２３に移行して、例えば１０ｍｓｅｃ待機する。この時間は、制御マイコン４５４がＳＴ４１からＳＴ４５までの処理が終了するまでの時間である。そしてＳＴ２４へ移行して接続部ＤからＬｏｗレベルの信号が入力されているか否かを判定する。ここで、接続部ＤからＬｏｗレベルの信号が入力されていない場合、バッテリパック４５０は起動条件を満たしていないと判断し、ＳＴ２５で接続部Ｃへの信号出力を停止し、ＳＴ２６で動作を終了する。接続部ＤからＬｏｗレベルの信号が入力されている場合、バッテリパック４５０は起動条件を満たしていると判断し、それぞれに対応したデューティー比で電気器具を駆動させる（ＳＴ２８、ＳＴ２９）。
【０１４２】
制御マイコン４５４は、ＳＴ４６へ移行し、バッテリ状態を取得する。ここでは、電圧監視回路４６０と温度検出回路４５６から、バッテリセルの電圧と温度を取得するとともに、電流検出回路４５７から電気器具に流れる通電電流を取得する。
【０１４３】
ＳＴ４７にて機器の停止条件を満たしているかを判定する。停止条件は、例えばバッテリセルＶ１，Ｖ２，Ｖ３のいずれかの電圧が２．５Ｖ以下であることが１秒以上検知され、温度が８０℃以上であることが１秒以上検知され、通電電流が８０Ａ以上であることが１秒以上検知されることに設定されている。これらの各条件の一つが検知されると、ＳＴ４８で接続部Ｄへの出力を停止して、動作を終了する（ＳＴ４９）。これらの条件が検知されない場合は、ＳＴ５０へ移行する。
【０１４４】
ＳＴ５０では接続部Ｃからの信号が入力されているか否かを判定し、信号が入力されている場合は、電気器具のメインスイッチ３１０がＯＮされたままであると判定し、ＳＴ４６へ戻る。接続部Ｃからの信号が入力されていない場合は、電気器具のメインスイッチ３１０がオフされたと判断し、動作を終了するためにＳＴ４８へ移行する。
【０１４５】
制御マイコン３０３は、ＳＴ２８、２９へ機器の駆動を開始したら、ＳＴ３０で接続部ＤからのＬｏｗレベル信号が入力されているか否かを判定する。信号が入力されている場合、バッテリは機器の停止条件を満たしていないと判断し、ＳＴ３２へ移行する。メインスイッチ３１０がオフされたか否かを判定し、メインスイッチ３１０がオフされていない場合、ＳＴ２７へ戻り、同様の動作を繰り返すこととなる。
【０１４６】
ＳＴ３０にて接続部Ｄからの信号が入力されていない場合、またはＳＴ３１でメインスイッチ３１０がオフされた場合、ＳＴ３２へ移行して、接続部ＣへのＨｉレベル信号の出力を停止し、ＳＴ３３で動作を終了させる。
【０１４７】
このように、図２１のような構成において、接続部Ｃでメインスイッチ３１０のオン状態、接続部Ｄでバッテリが放電してもよいかどうか（放電許可情報）を通信することで、図１９と同様にバッテリの放電保護を行うことができる。バッテリセルＶ１，Ｖ２，Ｖ３の電圧及び温度管理、電流管理がバッテリパック４５０側でなされることから、係る機能を有しない電動器具に用いる場合においても当該バッテリパック４５０の保護を図ることができる。バッテリセルＶ１，Ｖ２，Ｖ３の電圧が個別に監視されることから、高精度の電圧監視制御がなされるとともに、電圧が最も低いバッテリセルＶ１，Ｖ２，Ｖ３のいずれかに合わせて制御がなされることにより、当該バッテリパック４５０の長寿命化を図ることができる。バッテリ側に搭載されている制御マイコン４５４でバッテリ放電保護を行うため、セルに合わせた設定値とすることができる。例えば性能のよいバッテリセルや安価なセルを用いた場合でも、セル性能に合わせた設定値にすることができるため、長寿命化を図ることができる。
【０１４８】
なお、この実施形態では、接続部Ｃ、ＤをＨｉレベルやＬｏｗレベルとすることで、制御マイコン３０３と４５４が通信を行っているが、これに限らず別の通信方式を行っても良い。例えば制御マイコン３０３と４５４がデジタル通信を行うことで、バッテリセル電圧、温度、通電電流値等をデジタルデータで送受信する構成としてもよい。
【０１４９】
また、接続部Ｃでメインスイッチの状態を送受信する構成としているが、接続部Ｃは省略した構成としてもよい。この場合、制御マイコン４５４は、バッテリパック４５０が起動可能な状態であれば、常に接続部ＤからＬｏｗレベルの信号を出力する構成とすればよい。接続部Ｄは放電許可状態の場合に信号を送信する構成としているが、放電禁止状態の場合に信号を送信してもよい。
【０１５０】
制御マイコン３０３は、バッテリパック４５０が起動許可条件を満たしていない、または機器停止条件を満たしていると判定したら、ＬＥＤ５を点灯させて使用者にバッテリが放電不可状態であることを報知してもよい。また、図示はしないが、図１９の構成と同様に動力変換部の異常を検出し、電気器具が放電不可状態であることを検出したら、ＬＥＤ５を点滅させるかＬＥＤ６を点灯させるなどしてもよい。
【０１５１】
制御マイコン４５４は、残容量スイッチ４５５を押されたときに、バッテリパック４５０が起動許可条件を満たしていない、または機器停止条件を満たしていると判定したら、残容量表示回路４５８を通常の残容量表示パターンと異なる表示をしてもよい。例えばＬＥＤを点滅表示させることで、バッテリパック４５０が使用不能であることを報知することができる。
【０１５２】
通電制御スイッチ３０５と駆動回路３０６は、電気器具３５０側に搭載する構成のほか、バッテリパック４５０側に搭載する構成としてもよい。その場合、制御マイコン４５４が、駆動回路３０６を制御する構成とすればよい。
【０１５３】
図２４には、前記バッテリパック４００を充電器５００にセットして充電する場合の制御状態が示されている。図２４においてバッテリパック４００の残容量スイッチ４０９は省略されている。充電器５００では、商用１００Ｖ等のＡＣ電源５０１が入力整流回路５０２により直流に変換され、この直流電流が充電用ＳＷ電源回路５０３により所定の電流値や電圧値に変換される。充電器５００には、正負電源用の接続端子５０４，５０５、通信端子５０６，５０７，５０８が設けられている。バッテリパック４００が取り付けられた状態で、電源用の接続端子５０４，５０５がバッテリパック４００の電源端子受け部４０１，４０２に接続される。また、通信端子５０６，５０７，５０８がそれぞれバッテリパック４００の通信端子受け部４０３，４０４，４０５に接続される。正側の接続端子５０４にＶ３電圧検出回路５１０が接続され、通信端子５０７にＶ２電圧検出回路５１１が接続され、通信端子５０６にＶ１電圧検出回路５１２が接続されている。また、通信端子５０８に温度検出回路５１３が接続されている。
【０１５４】
Ｖ１〜Ｖ３電圧検出回路５１２，５１１，５１０により検出される各セルの電圧情報、温度検出回路５１３で検出されるセルの温度情報が制御回路５１５に入力される。制御回路５１５では、検出したバッテリ状態に応じて、充電用ＳＷ電源回路５０３を制御することにより充電電流や充電電圧が適切に制御される。
【０１５５】
電気器具や電動工具に用いられるバッテリは、大きな電力を取り出せるように工夫されているため、充電時の電流値も大きくすることができる特徴がある。そのため、１時間や３０分程度の短時間で急速充電することが可能となる。このことから、電気器具や電動工具を動作させている間に予備バッテリを充電しておくことで、当該電気器具や電動工具を充電のための中断を生ずることなく長時間連続して動作させることができる。
【０１５６】
［他の実施形態］本発明は実施形態に限定されるものではなく、本発明の要旨を逸脱しない範囲における変更が可能である。例えば、本発明は、健康器具、調理器具に限らず、振動機能を有する電気器具であれば適用することができる。また、各種電気器具において、バッテリパック及びバッテリ取り付け部にかかる構成以外の構成については、市販の電気器具の構成を適用してもよい。また、電源コードの途中に設けたコントロールボックスは、電気器具本体又はバッテリ取り付け部に設ける構成としてもよい。また、バッテリパックの出力電圧についても、例示した１０．８Ｖ出力に限定されるものではなく、３６Ｖ出力、１８Ｖ、１４．４Ｖ出力等のバッテリパックを１個若しくは複数個備える電気器具としてもよい。
【符号の説明】
【０１５７】
１…バッテリパック（スライド取り付け式のボックス型のバッテリパック、バッテリ）
１ｋ…残容量スイッチ
２…バッテリパック（差し込み取り付け形式のスティック型のバッテリパック、バッテリ）
５…ねじ締め機（充電式電動工具）
５ｃ…電源部（ねじ締め機のバッテリ取り付け部）
６…電源アダプタ（差し込み取り付け形式のスティック型のバッテリパック用電源アダプタ）
６ａ…アダプタ本体（バッテリ取り付け部）
６ｃ…接続プラグ
７…電源アダプタ（スライド取り付け式のボックス型のバッテリパック用電源アダプタ）
７ａ…アダプタ本体（バッテリ取り付け部）
７ｂ…電源コード
７ｃ…接続プラグ
８…電源ジャック
９…電源ジャック
１０…ハンディマッサージャー（電気器具、健康器具）
１０ａ…マッサージャー本体（電気器具本体）
１３…バッテリ取り付け部
１７…施療部材（振動部材）
１９…振動源
２３…バッテリ取り付け部
２５…バッテリ取り付け部
２７…マッサージャー本体（電気器具本体）
２９…電源コード
３２…シートマッサージャー（電気器具、健康器具）
３３…シート本体（電気器具本体）
３５…バッテリ取り付け部
４０…施療部材（振動部材）
４２…振動源
４６…背負い式マッサージャー（電気器具、健康器具）
４７…背負い体（電気器具本体）
４９…バッテリ取り付け部
５６…施療部材（振動部材）
５８…振動源
６２…マッサージクッション（電気器具、健康器具）
６３…クッション体（電気器具本体）
６５…バッテリ取り付け部
６７…施療部材（振動部材）
６９…振動源
７１…電源コード
７５…ネックマッサージャー（電気器具、健康器具）
７６…首枕体（電気器具本体）
７８…バッテリ取り付け部
８０…施療部材（振動部材）
８２…振動源
８４…電源コード
８８…ハンディマッサージャー（電気器具、健康器具）
８９…マッサージャー本体（電気器具本体）
９１…バッテリ取り付け部
９５…施療部材（振動部材）
９７…振動源
９９…電源コード
１０３…アイマスク（電気器具、健康器具）
１０４…マスク本体（電気器具本体）
１０６…バッテリ取り付け部
１１０…施療部材（振動部材）
１１２…振動源
１１４…電源コード
１１８…刃物研ぎ機（電気器具、調理器具）
１１９…砥ぎ機本体（電気器具本体）
１２１…バッテリ取り付け部
１２３…砥石部材（振動部材）
１２５…振動源
１３０…電気器具
１３１…器具本体
３００…電気器具
３５０…電気器具
４００…バッテリパック
４５０…バッテリパック
５００…充電器
【図１】
2018064659.tif 000003
【図２】
2018064659.tif 000004
【図３】
2018064659.tif 000005
【図４】
2018064659.tif 000006
【図５】
2018064659.tif 000007
【図６】
2018064659.tif 000008
【図７】
2018064659.tif 000009
【図８】
2018064659.tif 000010
【図９】
2018064659.tif 000011
【図１０】
2018064659.tif 000012
【図１１】
2018064659.tif 000013
【図１２】
2018064659.tif 000014
【図１３】
2018064659.tif 000015
【図１４】
2018064659.tif 000016
【図１５】
2018064659.tif 000017
【図１６】
2018064659.tif 000018
【図１７】
2018064659.tif 000019
【図１８】
2018064659.tif 000020
【図１９】
2018064659.tif 000021
【図２０】
2018064659.tif 000022
【図２１】
2018064659.tif 000023
【図２２】
2018064659.tif 000024
【図２３】
2018064659.tif 000025
【図２４】
2018064659.tif 000026